(57)【要約】【課題】  ユーザーは表示形式の切替え操作なしで異なる表示形式の画像を見ることが可能であり、見比べることが可能となる。【解決手段】  画像表示部材および外部出力端子を有し、複数の異なる表示形式に対応する表示画像再生機能を有する撮像装置において、前記外部出力端子に外部モニタが接続されることにより、前記画像表示部材と前記外部モニタに異なる表示形式で画像を表示する。【選択図】  図２
2006109138.tif 000002
【特許請求の範囲】
【請求項１】
画像表示部材および外部出力端子を有し、複数の異なる表示形式に対応する表示画像再生機能を有する撮像装置において、前記外部出力端子に外部モニタが接続されることにより、前記画像表示部材と前記外部モニタに異なる表示形式で画像を表示しすることを特徴とする画像表示方法。
【請求項２】
前記外部モニタに主表示形式で画像を表示して且つ、画像表示部材には副表示形式で画像を表示することを特徴する、請求項１の画像表示方法。
【請求項３】
前記撮像装置内に記憶される表示切替設定値により、前記外部モニタと前記画像表示部材に表示する内容を決定することを特徴とする、請求項１の画像表示方法。
【請求項４】
前記表示切替設定値は、操作者により変更可能なことを特徴とする、請求項３の画像表示方法。
【請求項５】
前記外部出力端子から前記外部モニタが取り外されることにより、前記画像表示部材に主表示形式で画像を表示することを特徴とする、請求項２の画像表示方法。
【請求項６】
前記外部出力端子から前記外部モニタが取り外されることにより、前記画像表示部材に前記外部モニタを接続する直前の表示形式で画像を表示することを特徴とする、請求項３、請求項４の画像表示方法。
【発明の詳細な説明】
【技術分野】
【０００１】
本発明は、静止画像を撮像、記録、再生する撮像装置の画像表示方法に関する。
【背景技術】
【０００２】
従来、撮像装置を用いて撮影画像を簡易に表示する方法としては、撮像装置本体のTFTへの表示する方法と、撮像装置のビデオ出力端子と外部モニタを接続して外部モニタに表示する方法が代表的であり、前記2種類の表示方法を有するデジタルカメラ等の撮像装置はすでに市販されている。
【０００３】
また、このような２種類の表示方法を有するデジタルカメラには、外部モニタを接続するとTFTの表示を消灯し、TFTの表示内容をそのまま外部モニタに表示する方法や（特許文献１参照）、外部モニタとTFTと全く同じ表示をする方法が存在している。
【特許文献１】特開平１１−０３８４９４号公報
【発明の開示】
【発明が解決しようとする課題】
【０００４】
しかしながら、一種類の表示形式だけを見て表示操作を行った場合、拡大表示で全体像が判りづらいといった問題や、ダイレクトプリントのトリミング機能で余分な箇所まで表示されるので印刷イメージが判りづらいといった問題があった。
【０００５】
本発明は、上述の問題点に鑑みて為されたもので、その目的とする処は、二種類以上の撮影画像表示方法を有する撮像装置において、二つの表示部材に異なる表示を行うことにより、操作者は部分的な表示だけでなく全体を見ることや、逆に全体表示だけでなく部分的な表示を見ることが可能であり、しかも、ビデオ出力端子に外部モニタが接続された場合に自動的に表示が切替わる為、ビデオ出力端子への抜き差しだけで操作者が余計な操作をすることなく、引き続き操作を行うことが可能な画像表示方法を提供することにある。
【課題を解決するための手段】
【０００６】
このため、本発明においては、下記の各項（１）〜（５）に示す画像情報表示方法を提供することにより、前記目的を達成しようとするものである。
【０００７】
（１）画像表示部材および外部出力端子を有し、複数の異なる表示形式に対応する表示画像再生機能を有する撮像装置において、前記外部出力端子に外部モニタが接続されることにより、前記画像表示部材と前記外部モニタに異なる表示形式で画像を表示しすることを特徴とする画像表示方法。
【０００８】
（２）前記外部モニタに主表示形式で画像を表示して且つ、画像表示部材には副表示形式で画像を表示することを特徴する、前記（１）項の画像表示方法。
【０００９】
（３）前記撮像装置内に記憶される表示切替設定値により、前記外部モニタと前記画像表示部材に表示する内容を決定することを特徴とする、前記（１）項の画像表示方法。
【００１０】
（４）前記表示切替設定値は、操作者により変更可能なことを特徴とする、前記（３）項の画像表示方法。
【００１１】
（５）前記外部出力端子から前記外部モニタが取り外されることにより、前記画像表示部材に主表示形式で画像を表示することを特徴とする、前記（２）項の画像表示方法。
【００１２】
（６）前記外部出力端子から前記外部モニタが取り外されることにより、前記画像表示部材に前記外部モニタを接続する直前の表示形式で画像を表示することを特徴とする、前記（３）および（４）項の画像表示方法。
【発明の効果】
【００１３】
以上説明したように、本発明によれば二種類以上の撮影画像表示方法を有する撮像装置において、二つの表示部材に異なる表示を行うことにより、操作者は部分的な表示だけでなく全体を見ることや、逆に全体表示だけでなく部分的な表示を見ることが可能であり、しかも、ビデオ出力端子に外部モニタが接続された場合に自動的に表示が切替わる為、ビデオ出力端子への抜き差しだけで操作者が余計な操作をすることなく、引き続き操作を行うことが可能な画像表示方法を提供することが可能である。
【発明を実施するための最良の形態】
【００１４】
以下、本発明の実施の形態を説明する。
【００１５】
以下、実施例について図面を参照して述べる。
【００１６】
図１は、本発明の実施例の構成を示す図であり、デジタルカメラの表示系で使用される構成の一部である。
【００１７】
１０は画像処理装置の一部である。
【００１８】
１１はメモリであり、システム制御回路１８の動作用の定数、変数、プログラム等を記憶する。
【００１９】
１２は不揮発性メモリであり、電気的に消去・記録可能であり、例えばEEPROM等が用いられる。
【００２０】
１３は表示部であり、システム制御回路１９でのプログラムの実行に応じて、文字、画像、音声などを用いて動作状態やメッセージなどを表示する液晶表示装置、スピーカー等の表示部であり、例えばTFTやLCDやLED、発音素子等の組み合わせにより構成され、単数或いは複数個所設置される。
【００２１】
１４は操作部であり、各種ボタンやタッチパネル等からなり、表示部１３への表示や、カメラ操作に用いられる。
【００２２】
１５はインタフェース、１６はメモリカードやハードディスク等の記録媒体との接続を行うコネクタである。
【００２３】
１７はビデオインターフェース、１８はビデオ端子であり、外部出力装置に表示情報を転送する。
【００２４】
１９はシステム制御回路であり、画像処理装置１０全体を制御する。
【００２５】
２０は記録媒体であり、メモリカードやハードディスク等である。
【００２６】
２１は記録部、２２はインタフェース、２３はコネクタである。
【００２７】
記録媒体２０は、半導体メモリや磁気ディスク等から構成される記録部２１、画像処理装置１０とのインタフェース２２、画像処理装置１０と接続を行うコネクタ２３を備えている。
【００２８】
３１はビデオケーブルの端子、４２はビデオケーブルであり、画像処理装置とテレビやモニター等の外部表示装置とを接続してビデオ出力する。
【００２９】
図2、図3、図6乃至図8を参照して、本発明の実施例１の動作を説明する。
【００３０】
図２に、本発明の実施例１の表示のフローチャートを示す。
【００３１】
画像表示開始要求により、表示形式を確定し（Ｓ２０１，図３）、表示する画像ＩＤを取得し（Ｓ２０２）、ＴＦＴや外部モニタ等に画像を表示する（Ｓ２０３）。その後イベント待機状態になり（Ｓ２０４）、表示終了イベントが来たら処理を終了する。
【００３２】
表示形式変更イベント、例えば1枚表示中に拡大表示に変更するような表示形態の変更指示が来た場合には、Ｓ２０１の処理の戻る。
【００３３】
画像送りイベント、例えば次画面表示指示等が来た場合には、Ｓ２０２の処理に戻る。
【００３４】
ビデオケーブルの着脱イベントが来た場合には、表示形式を確定し（Ｓ２０５、図３）、Ｓ２０３の処理に戻る。
【００３５】
図３に、本発明の実施例１の表示形式を決定するためのフローチャートを示す。
【００３６】
まず表示形式リスト（図７）を検索し、主形式と副形式を得る（Ｓ３０１）。ケーブル接続状態を調べ（Ｓ３０２）、接続状態にある場合には、ビデオ出力に主形式で表示し、ＴＦＴには副形式で表示することを決定し（Ｓ３０３）、処理を終了する。
【００３７】
Ｓ３０２のチェックでケーブルが接続されていないと判断された場合には、ＴＦＴに主形式で表示することを確定し（Ｓ３０４）、処理を終了する。
【００３８】
図６に、本発明の実施例１の画像表示のフローチャートを示す。
【００３９】
まずケーブル接続状態を調べ（Ｓ６０１）、接続状態にある場合には、ビデオ出力およびＴＦＴの表示を表示形式に基づいて更新し（Ｓ６０２）、処理を終了する。
【００４０】
Ｓ６０１のチェックでケーブルが接続されていないと判断された場合には、ＴＦＴの表示を表示形式に基づいて更新し（Ｓ６０３）、処理を終了する。
【００４１】
図７に、本発明の実施例１の表示形式リストの一例を示す。
【００４２】
1枚表示、9枚表示等、各々の表示機能に主形式と副形式が設定されている。
【００４３】
例えば、トリミング表示機能の主形式はトリミング全体表示であり、副形式はトリミング枠内表示である。ケーブルが接続状態にない場合はＴＦＴに主形式であるトリミング全体表示で表示し（図８(1)）、接続状態にある場合にはビデオ出力に主形式であるトリミング全体表示で表示し(図８(2-1))、ＴＦＴに副形式であるトリミング枠内表示で表示する（図８(2-2)）。
【００４４】
図８に本発明の実施例１の表示の一例を示す。
【００４５】
トリミング表示機能で表示する例である。
【００４６】
ケーブルが接続状態にない場合には、ＴＦＴにトリミング全体表示を（１）のように表示する。
【００４７】
接続状態にある場合には、ビデオ出力にトリミング全体表示を(2-1)のように表示し、ＴＦＴにトリミング枠内表示を（2-2）のように表示する。
【００４８】
ここに第２の実施例について述べる。
【００４９】
図2、図4乃至図6、図9乃至図11を参照して、本発明の実施例２の動作を説明する。
【００５０】
図２の、本発明の実施例２の表示のフローチャートは、本発明の実施例１と同様である。
【００５１】
図４に、本発明の実施例２の表示形式を決定するためのフローチャートを示す。
【００５２】
まず表示形式リスト（図９）を検索し、ＴＦＴのみ形式、ＶＩＤＥＯ表示形式、ＴＦＴ表示形式を得る（Ｓ４０１）。ケーブル接続状態を調べ（Ｓ４０２）、接続状態にある場合には、ビデオ出力にＶＩＤＥＯ表示形式で表示し、ＴＦＴにはＴＦＴ表示形式で表示することを決定し（Ｓ４０３）、処理を終了する。
【００５３】
Ｓ４０２のチェックでケーブルが接続されていないと判断された場合には、ＴＦＴにＴＦＴのみ形式で表示することを確定し（Ｓ４０４）、処理を終了する。
【００５４】
図５に、本発明の実施例２の表示形式リスト変更のフローチャートを示す。
【００５５】
表示形式リストの変更通知を受取ると、ユーザ変更用表示形式リスト（図１０）を取得し（Ｓ５０１）、変更する設定値が正しいがチェックを行い（Ｓ５０２）、正しければ表示形式リスト（図９）を変更して処理を終了する。
【００５６】
Ｓ５０３のチェックで設定値が正しくない場合には、なにもしないで処理を終了する。
【００５７】
図６の、本発明の実施例２の画像表示のフローチャートは、本発明の実施例１と同様である。
【００５８】
図９に、本発明の実施例２の表示形式リストの一例を示す。
【００５９】
1枚表示、9枚表示等、各々の表示機能に主形式と副形式が設定されている。
【００６０】
例えば、トリミング表示機能のＴＦＴのみ形式はトリミング全体表示であり、ＶＩＤＥＯ表示形式はトリミング枠内表示であり、ＴＦＴ表示形式はInfo表示である。ケーブルが接続状態にない場合はＴＦＴにＴＦＴのみ形式であるトリミング全体表示で表示し（図11(1)）、接続状態にある場合にはビデオ出力にＶＩＤＥＯ表示形式であるトリミング枠内表示で表示し(図11(2-1))、ＴＦＴにＴＦＴ表示形式であるInfo表示で表示する（図11(2-2)）。
【００６１】
１０に、本発明の実施例２のユーザ変更用表示形式リストの一例を示す。
【００６２】
ユーザ変更用表示形式リストは、1枚表示、９枚表示等の各々の表示機能毎に存在し、表示形式リストで設定可能なＶＩＤＥＯ表示形式とＴＦＴ表示形式の組み合わせを記憶する。
【００６３】
図１０はトリミング表示機能のユーザ変更用表示形式リストである。
【００６４】
このリストから、設定可能なＶＩＤＥＯ表示形式とＴＦＴ表示形式の組み合わせは、トリミング全体表示／トリミング枠内表示、トリミング枠内表示／トリミング全体表示、トリミング全体表示／Info表示 の3種類のいづれかであることが判る。
【００６５】
図１１に本発明の実施例２の表示の一例を示す。
【００６６】
トリミング表示機能で表示する例である。
【００６７】
ケーブルが接続状態にない場合には、ＴＦＴにトリミング全体表示を（１）のように表示する。
【００６８】
接続状態にある場合には、ビデオ出力にトリミング全体表示を(2-1)のように表示し、ＴＦＴにトリミング枠内表示を（2-2）のように表示する。
【００６９】
以上、実施例ついて説明したが、ユーザが変更可能な形式は実施例２のＶＩＤＥＯ表示形式とＴＦＴ表示形式のみを例に挙げたが、実施例１の主形式及び副形式、実施例２のＴＦＴのみ形式もユーザが変更出来るようにすることが可能である。
【図面の簡単な説明】
【００７０】
【図１】本発明の一実施例の構成ブロック図の一部である。
【図２】本実施例１，２の表示のフローチャートである。
【図３】本実施例１の各ＶＲＡＭの表示形式を決定するためのフローチャートである。
【図４】本実施例２の各ＶＲＡＭの表示形式を決定するためのフローチャートである。
【図５】本実施例２の表示形式リスト変更のフローチャートである。
【図６】本実施例１，２の画像表示のフローチャートである。
【図７】本実施例１の表示形式リストの一例である。
【図８】本実施例１の表示の一例である。
【図９】本実施例２の表示形式リストの一例である。
【図１０】本実施例２のユーザ変更用表示形式リストの一例である。
【図１１】本実施例２の表示の一例である。
【符号の説明】
【００７１】
１３  表示部
１４  操作部
１８  システム制御回路
２０  記録媒体
３２  ビデオケーブル
【図１】
2006109138.tif 000003
【図２】
2006109138.tif 000004
【図３】
2006109138.tif 000005
【図４】
2006109138.tif 000006
【図５】
2006109138.tif 000007
【図６】
2006109138.tif 000008
【図７】
2006109138.tif 000009
【図８】
2006109138.tif 000010
【図９】
2006109138.tif 000011
【図１０】
2006109138.tif 000012
【図１１】
2006109138.tif 000013